(57)【要約】      （修正有）【課題】  放電を安定させ、発光輝度及び効率を向上したプラズマディスプレイパネルを提供する。【解決手段】  対向して放電を起させる少なくとも一対の放電電極１５０と他の方向に連設された放電セル１６０にわたって、放電電極１３０、１４０と交差するように配置されたアドレス電極１２２、放電電極１３０、１４０及びアドレス電極１２２をそれぞれ覆っている第１誘電体層１１４及び第２誘電体層１２３、放電セル１６０内に配置された蛍光体層１２５、及び放電セル１６０内に封じ込まれた放電ガスを含むが、少なくとも一対の放電電極１５０には、その延長方向に沿って所定の間隔を介して各放電セル１６０の内側を取り囲む形状に凹部１３２ａ、１４２ａを複数形成した。【選択図】図２
2006049321.tif 000002
【特許請求の範囲】
【請求項１】
互いに対向して配置された第１基板及び第２基板と、
前記第１基板と第２基板との間に配置されて、前記第１基板及び第２基板と共に複数の放電セルを画定する隔壁と、
一の方向に連設された前記放電セルにわたって延びたものであって、互いに対向して放電を起こさせる少なくとも一対の放電電極と、
他の方向に連設された前記放電セルにわたって、前記放電電極と交差する他の方向に配置されたアドレス電極と、
前記放電電極及びアドレス電極をそれぞれ覆っている第１誘電体層及び第２誘電体層と、
前記放電セル内に配置された蛍光体層と、
前記放電セル内に封じ込まれた放電ガスと、を含み、
少なくとも前記一対の放電電極には、当該一対の放電電極の延長方向に沿って所定の間隔で各放電セルの内側を取り囲む形状に凹部が複数形成されたことを特徴とするプラズマディスプレイパネル。
【請求項２】
前記凹部は、所定の曲率半径を有する半円状に形成されたことを特徴とする請求項１に記載のプラズマディスプレイパネル。
【請求項３】
互いに対向して配置された第１基板及び第２基板と、
前記第１基板と第２基板との間に配置されて、前記第１基板及び第２基板と共に複数の放電セルを規定する隔壁と、
一の方向に連設された前記放電セルにわたって延びた複数の放電電極対と、
他の方向に連設された前記放電セルにわたって、前記放電電極対と交差するように配置されたアドレス電極と、
前記放電電極対及びアドレス電極をそれぞれ覆っている第１誘電体層及び第２誘電体層と、
前記放電セル内に配置された蛍光体層と、
前記放電セル内に封じ込まれた放電ガスと、を含み、
前記放電電極対をなすそれぞれの放電電極は、
一の方向に平行に延び、互いに離隔された第１電極及び第３電極と、
前記第１電極と第３電極との間に配置され、当該第１電極及び第３電極の延長方向に沿って所定の間隔で各放電セルの内側を取り囲む形状の凹部が複数形成された第２電極と、を含むことを特徴とするプラズマディスプレイパネル。
【請求項４】
前記第１電極、第２電極、及び第３電極は、金属材料で形成されたことを特徴とする請求項３に記載のプラズマディスプレイパネル。
【請求項５】
前記凹部は、所定の曲率半径を有する半円状に形成されたことを特徴とする請求項３に記載のプラズマディスプレイパネル。
【請求項６】
前記放電電極において、前記第１電極は、放電セルの最内側に配置され、前記第１電極の延長方向に沿って各放電セルの中心を取り囲む形状の第１凹部が複数形成されたことを特徴とする請求項３に記載のプラズマディスプレイパネル。
【請求項７】
前記第１凹部は、第２電極に形成された第２凹部と実質上同じ曲率半径の半円状を有することを特徴とする請求項６に記載のプラズマディスプレイパネル。
【請求項８】
前記第１電極、第２電極、及び第３電極を相互連結するものであって、前記第１電極、第２電極、及び第３電極の延長方向に所定間隔をおいて形成された複数の連結電極をさらに備えたことを特徴とする請求項３に記載のプラズマディスプレイパネル。
【請求項９】
前記連結電極は、放電セルの中央を横切って形成されたことを特徴とする請求項８に記載のプラズマディスプレイパネル。
【請求項１０】
前記連結電極は、前記第２電極に形成された凹部を横切って前記第１電極から前記第３電極に延びたことを特徴とする請求項８に記載のプラズマディスプレイパネル。
【請求項１１】
前記連結電極のうち少なくとも一つは前記第２電極の延長方向に形成された凹部と隣接する凹部との間に位置する直線部であって、
前記直線部は前記第１電極から前記第３電極を横切って延びたことを特徴とする請求項８に記載のプラズマディスプレイパネル。
【発明の詳細な説明】
【技術分野】
【０００１】
本発明は、ガス放電を利用して画像を表示するプラズマディスプレイパネル（ＰＤＰ：Ｐｌａｓｍａ  Ｄｉｓｐｌａｙ  Ｐａｎｅｌ）に関する。さらに詳細には、製造工程が単純化され、放電が安定的に行われ、発光輝度及び発光効率が向上する改善された構造のＰＤＰに関する。
【背景技術】
【０００２】
近年、平板ディスプレイ装置での中でもＰＤＰは、大画面を有しつつも、高画質、超薄型、軽量化及び広視野角の優秀な特性を有しており、他の平板ディスプレイ装置に比べて、製造方法が簡単であり、大型化が容易で、次世代の大型平板ディスプレイ装置として注目されている。
【０００３】
このようなＰＤＰは、印加される放電電圧によって、直流（ＤＣ：Ｄｉｒｅｃｔ  Ｃｕｒｒｅｎｔ）型、交流（ＡＣ：Ａｌｔｅｒｎａｔｉｎｇ  Ｃｕｒｒｅｎｔ）型及び混合型に分類され、放電構造によって、対向放電型及び面放電型に分類される。近年、国内外で生産されている大部分のＰＤＰは、３電極面放電型ＰＤＰである。
【０００４】
図１は、従来の３電極面放電型ＰＤＰの分解斜視図である。一般的に、ＰＤＰは、上側パネル１０及びこれに対向して接合される下側パネル２０を備える。図１を参照すれば、上側基板（第１基板）１１の下面には、放電電極対５０が配置されており、これらを埋め込む上側誘電体層（第１誘電体層）１４及び上側誘電体層１４を覆う保護層１５が順次に形成されている。ここで、前記放電電極対５０の一電極は、共通電極３０となり、他の電極は、走査電極４０となる。
【０００５】
一方、下側基板（第２基板）２１の上面には、放電電極対５０と交差するように延びたアドレス電極２２と、これらを埋め込む下側誘電体層（第２誘電体層）２３とが形成されている。下側誘電体層２３上には、隔壁２４が形成されて複数の放電セル６０が区画される。隔壁２４に取り囲まれた下側誘電体層２３上で隔壁２４の側面にわたっては、蛍光体層２５が形成される。
【０００６】
共通電極３０及び走査電極４０は、それぞれ透明電極３０ａ，４０ａ及びバス電極３０ｂ，４０ｂを備える。前記透明電極３０ａ，４０ａは、放電を起こす導電体であり、蛍光体層から放出される光が上側基板１１に進むことを妨げることのない透明な材料で形成されるが、通常、ＩＴＯ（Ｉｎｄｉｕｍ  Ｔｉｎ  Ｏｘｉｄｅ）膜で形成される。しかし、ＩＴＯ膜は、素材特性上、スクリーン印刷法のような簡単な工程で形成され難く、高コストの設備及び工程が要求されるスパッタリングなどの特殊なパターニング技術を利用する必要があるという問題点がある。
【０００７】
また、前記透明電極３０ａ，４０ａの電気伝導度を改善するために、その外側端部には、導電性金属素材のバス電極３０ｂ，４０ｂを形成しなければならないので、別途、整列させることが必要となる。ＩＴＯ膜上にバス電極３０ｂ，４０ｂを形成する場合、電極材料の種類によって、互いに融解または密着されないなどの問題点があり、ＩＴＯ膜が透明であるため、バス電極３０ｂ，４０ｂと整列させることは難しい。
【０００８】
このような製造工程上の問題点と共に、透明電極３０ａ，４０ａの透光率は８０％ほどで、２０％ほどの光損失が発生し、ＰＤＰの光効率が低下するという問題も発生する。
【０００９】
このような問題点を解決するために、放電電極対がバス電極のみで構成されたＰＤＰが開発された。しかし、前記ＰＤＰでは、透光率を考慮してバス電極が狭い幅で形成されるので、放電セル全体に、放電が広がらないという問題点が発生し、さらに、発光輝度及び発光効率が劣るという問題点も発生する。
【発明の開示】
【発明が解決しようとする課題】
【００１０】
本発明が解決しようとする目的は、製造工程が単純化され、その作業性が向上する改善された構造のＰＤＰを提供することである。
【００１１】
また、本発明が解決しようとする他の目的は、放電セル全域にわたって安定的な放電が行われ、発光輝度及び発光効率が向上するＰＤＰを提供することである。
【課題を解決するための手段】
【００１２】
本発明の目的及びその他の目的を達成するために、本発明のＰＤＰは、互いに対向して配置された第１基板及び第２基板と、第１基板と第２基板との間に配置されて、前記第１基板及び第２基板と共に複数の放電セルを画定する隔壁と、一の方向に連設された前記放電セルにわたって延びたものであって、互いに対向して放電を起させる少なくとも一対の放電電極と、他の方向に連設された前記放電セルにわたって前記放電電極と交差するように他の方向に配置されたアドレス電極と、前記放電電極及びアドレス電極をそれぞれ覆っている第１誘電体層及び第２誘電体層と、前記放電セルの内部に配置された蛍光体層及び前記放電セル内に封じ込まれた放電ガスと、を含み、少なくとも前記一対以上の放電電極には、当該一対の放電電極の延長方向に沿って所定の間隔で各放電セルの内側を取り囲む形状に凹部が複数形成される。
【００１３】
本発明の他の目的によるＰＤＰは、互いに対向して配置された第１基板及び第２基板と、前記第１基板と第２基板との間に配置されて、前記第１基板及び第２基板と共に複数の放電セルを画定する隔壁と、一の方向に連設された前記放電セルにわたって延びた複数の放電電極対と、他の方向に連設された前記放電セルにわたって前記放電電極対と交差するように配置されたアドレス電極と、前記放電電極対及びアドレス電極をそれぞれ覆っている第１誘電体層及び第２誘電体層と、前記放電セルの内部に配置された蛍光体層及び前記放電セル内に封じ込まれた放電ガスと、を含み、前記放電電極対をなすそれぞれの放電電極は、一方向に平行に延び、互いに離隔された第１電極及び第３電極と、前記第１電極と第３電極との間に配置され、当該第１電極及び第３電極の延長方向に沿って各放電セルの内側を取り囲む形状の凹部が複数形成された第２電極を含む。  ここで、前記凹部は、所定の曲率半径を有する半円状に形成されることが望ましい。
【００１４】
本発明の他の実施形態であって、前記放電電極において、前記第１電極は、放電セルの最内側に配置され、第１電極の延長方向に沿って各放電セルの中心を取り囲む形状の第１凹部が複数形成される。
【００１５】
本発明のＰＤＰにおいて、前記第１電極、第２電極、及び第３電極を相互連結するものであって、前記電極の延長方向に所定間隔をおいて形成された複数の連結電極をさらに備えることが望ましい。
【発明の効果】
【００１６】
本発明のＰＤＰによれば、次のような効果を有する。
【００１７】
第一に、本発明のＰＤＰは、透明電極なしに金属電極のみで放電電極対が構成される。したがって、透明電極を形成するための高コストのパターニングを必要とせず要求されず、電極間の整列が不要である。したがって、工程の短縮及び作業性の向上が可能であり、製造コストの削減を期待できる。
【００１８】
第二に、本発明のＰＤＰは、延長方向に沿って複数の凹部が形成された放電電極対を備える。凹部の形成によって、初期放電が放電セルの全域に円滑に広がり、プラズマが放電セルの中央に集中して高輝度の映像が表示でき、発光効率の向上が可能である。
【発明を実施するための最良の形態】
【００１９】
以下、添付された図面を参照して、本発明の望ましい実施形態によるＰＤＰについて詳細に説明する。
【００２０】
図２及び図３には、本発明の第１実施形態によるＰＤＰが示す。図２に示すように、本実施形態のＰＤＰは、上側パネル１１０、及び前記上側パネル１１０と対向して接合される下側パネル１２０を備える。
【００２１】
前記上側パネル１１０は、上側基板（第１基板）１１１、上側基板１１１の下側に所定のパターンで複数形成された放電電極対１５０、放電電極対１５０を埋め込む上側誘電体層（第１誘電体層）１１４、及び上側誘電体層１１４を覆う保護層１１５を備える。
【００２２】
上側基板１１１は、ガラスを主材料とした透明な材料で形成されることが一般的である。上側基板１１１の下側には、互い平行に所定の間隔で離隔された複数の放電電極対１５０が形成されるが、放電電極対１５０は、互い対向して対をなす二つの放電電極を意味する。そのうち、一放電電極は、共通電極１３０となり、他の一放電電極は、走査電極１４０となるが、これらの間で生じる維持放電によって、画像が表示される。
【００２３】
図３に示すように、共通電極１３０及び走査電極１４０は、それぞれ放電セル１６０の内側からエッジ方向に配置された第１電極１３１，１４１、第２電極１３２，１４２、及び第３電極１３３，１４３を含み、それぞれの電極を相互に連結する複数の連結電極１３４，１４４を備える。
【００２４】
第１電極１３１，１４１は、放電セル１６０最内側を横切って一方向（ｘ方向）に延設される。走査電極１３０及び共通電極１４０に放電を起こすのに十分な所定の交流電圧が印加されれば、第１電極１３１，１４１の間に初期放電が実行されて、隣接した第２電極１３２，１４２及び第３電極１３３，１４３に放電が広がる。
【００２５】
第１電極１３１，１４１の線幅ｔ１によって、異なる放電現象が現れる。第１電極１３１，１４１の線幅ｔ１が広いほど、放電が安定的に実行される一方、透光率が低下して輝度が減少し、放電電流が増加して駆動効率が低下する。逆に、線幅ｔ１が狭いほど、透光率が向上して輝度が増加し、放電電流が制限されて駆動効率は改善されるが、放電が不安定になる傾向がある。したがって、安定的な放電、透光率または開口率の確保のために、線幅ｔ１は、約６０〜８０μｍほどが望ましい。第１電極１３１，１４１は、例えば、Ａｇ、Ａｕ、Ａｌ、Ｃｕ、Ｃｒ、またはこれらの積層体などの電気伝導度が高い金属素材で形成されることが望ましい。
【００２６】
第３電極１３３，１４３は、第１電極１３１，１４１の外側に所定間隔で離隔されて形成され、第１電極１３１，１４１と平行に一方向（ｘ方向）に延設される。第３電極１３３，１４３も第１電極１３１，１４１のように、高い導電性を有する金属素材で形成されることが望ましい。第３電極１３３，１４３は、その端部に外部駆動電圧が印加される端子電極となりうる。この場合、第３電極１３３，１４３に印加された駆動電圧は、連結電極１３４，１４４に沿って第１電極１３１，１４１及び第２電極１３２，１４２に印加される。
【００２７】
第１電極１３１，１４１と第３電極１３３，１４３との間には、第２電極１３２，１４２が配置される。第２電極１３２，１４２には、電極の延長方向に沿って所定間隔ｄで複数の凹部１３２ａ，１４２ａが形成されている。凹部１３２ａ，１４２ａは、所定の曲率半径Ｒを有し、各放電セル１６０の内部を取り囲む半円状に形成される。凹部１３２ａ，１４２ａは、電界の強化によって、放電セル１６０の中央にプラズマを集中させる。すなわち、凹部１３２ａ，１４２ａに沿って半円状に生成される電界面は、プラズマを放電セル１６０の中央部に集中させることによって、プラズマの生成を促進し、隔壁１２４の衝突によるプラズマの消滅を防止する。また、凹部１３２ａ，１４２ａは、第２電極１３２，１４２と第３電極１３３，１４３との間の放電拡散を促進させるが、これについては後述する。一方、第２電極１３２，１４２と第３電極１３３，１４３との線幅ｔ２，ｔ３は、十分な開口率を確保しつつも、安定的な放電拡散のために、６０〜８０μｍほどに設定されることが望ましい。
【００２８】
連結電極１３４，１４４は、前記電極（第１電極、第２電極、第３電極）の延長方向に沿って所定間隔で離隔されて複数形成される。連結電極１３４，１４４は、第１電極１３１，１４１と第２電極１３２，１４２とを連結する第１部分１３４ａ，１４４ａ、及び第２電極１３２，１４２と第３電極１３３，１４３とを連結する第２部分１３４ｂ，１４４ｂを備える。連結電極１３４，１４４は、凹部１３２ａ，１４２ａ、具体的には、凹部１３２ａ，１４２ａの湾曲部を通過して、電極を相互連結する。第１部分１３４ａ，１４４ａの長さ‘Ｌ１’と、第２部分１３４ｂ，１４４ｂの長さＬ２とは、異なる。
【００２９】
連結電極１３４，１４４は、電極を相互連結することによって、第１電極１３１，１４１から始まった初期放電が第２電極１３２，１４２と第３電極１３３，１４３とに広がるように誘導する。すなわち、共通電極１３０と走査電極１４０との間に、放電を起こし得る所定の交流電圧が印加されれば、第１電極１３１，１４１の間で放電が始まり、放電は、連結電極１３４，１４４の第１部分１３４ａ，１４４ａに沿って第２電極１３２，１４２に広がる。このとき、第１電極１３１，１４１の間で非常に活発な放電が起こるので、第１電極１３１，１４１と隣接した第２電極１３２，１４２までは、円滑に放電が広がり、広範囲にわたって迅速に放電が広がる。したがって、第１部分１３４ａ，１４４ａの長さＬ１が第２部分１３４ｂ，１４４ｂの長さＬ２より相対的に長いとしても、第２電極１３２，１４２は、放電中心に比較的隣接しているので、放電が安定的に広がることができる。
【００３０】
第２電極１３２，１４２に広がった放電は、連結電極１３４，１４４の第２部分１３４ｂ，１４４ｂに沿って第３電極１３３，１４３に広がる。しかし、に放電中心から比較的遠くに位置する第３電極１３３，１４３まで放電が広がるには難しい。したがって、本発明では、第２電極１３２，１４２と第３電極１３３，１４３とを連結する第２部分１３４ｂ，１４４ｂの長さＬ２を第１電極１３１，１４１と第２電極１３２，１４２とを連結する第１部分１３４ａ，１４４ａの長さＬ１より相対的に短くすることによって、放電を第３電極１３３，１４３に円滑に広がらせる。ここで、第２電極１３２，１４２と第３電極１３３，１４３との距離は、連結電極１３４，１４４の第２部分１３４ｂ，１４４ｂに沿って最短距離Ｌ２となり、左右両側に行くほどその距離は次第に長くなる。したがって、連結電極１３４，１４４の第２部分１３４ｂ，１４４ｂに沿って広がった放電は、左右両側に再び広がる。
【００３１】
連結電極１３４，１４４によって維持放電が放電セル１６０全体に均一に広がるために、連結電極１３４，１４４は、放電セル１６０の中央を横切って形成されることが望ましい。但し、連結電極１３４，１４４が放電セル１６０の中央に形成される場合には、可視光の透過率が低下する恐れがあるので、その線幅ｔ４を制限することが望ましい。例えば、前記連結電極１３４，１４４の線幅ｔ４は、４０〜６０μｍほどに設定される。連結電極１３４，１４４は、それぞれの電極を相互に連結することによって、電極の長手方向（ｘ方向）に沿って発生する電圧降下を防止し、電極に均一な駆動電圧を印加させる。
【００３２】
一方、図面に示されていないが、共通電極１３０及び走査電極１４０の上側に光吸収率が５０％以上である光吸収層が形成されれば、外光吸収のために別途、ブラックストライプを形成せずとも画質が改善される。
【００３３】
再び、図２を参照する。上側基板１１１の下側には、放電電極対１５０を覆うように上側誘電体層１１４が形成される。上側誘電体層１１４は、陽イオンまたは電子が、放電電極対１５０に衝突して放電電極対１５０が損傷されることを防止し、電荷を誘導して壁電荷の蓄積を促進する。上側誘電体層１１４は、ＰｂＯ、Ｂ２Ｏ３、ＳｉＯ２などの誘電体で形成される。
【００３４】
保護層１１５は、必ずしも必要な構成要素ではないが、形成されることが望ましい。保護層１１５は、放電時、陽イオンと電子とが上側誘電体層１１４に衝突して上側誘電体層１１４が損傷されることを防止し、２次電子を多く放出させる。保護層１１５は、通常、ＭｇＯ膜が使われる。
【００３５】
一方、下側パネル１２０は、下側基板（第２基板）１２１、下側基板１２１上に所定のパターンで形成された複数のアドレス電極１２２、アドレス電極１２２を埋め込む下側誘電体層（第２誘電体層）１２３を含み、下側誘電体層１２３上に形成されて複数の放電セル１６０を区画する隔壁１２４、放電セル１６０の内側に配置された蛍光体層１２５を含む。
【００３６】
下側基板１２１は、アドレス電極１２２、下側誘電体層１２３を支持し、通常、ガラスを主材料として形成される。アドレス電極１２２は、共通電極１３０と走査電極１４０との間の維持放電をさらに容易にするためのアドレス放電を起こすためのものであって、具体的には、維持放電を起こさせるための電圧を低下させる。アドレス電極１２２は、放電電極対１５０と交差するように形成されるが、一方向（ｙ方向）に延長されるストライプパターンに形成される。
【００３７】
下側誘電体層１２３は、放電時に、陽イオンまたは電子がアドレス電極１２２に衝突してアドレス電極１２２が損傷されることを防止する。下側誘電体層１２３は、ＰｂＯ、Ｂ２Ｏ３、ＳｉＯ２などで形成される。
【００３８】
図２に示すように、隔壁１２４は、ｘ方向及びｙ方向に延びるマトリックスパターンに形成される。このような隔壁１２４は、上側基板１１１と下側基板１２１との間の放電空間を、複数の放電セル１６０に区画することによって、放電セル１６０の間の光学的及び電気的なクロストークを防止する。
【００３９】
図２を参照すれば、蛍光体層１２５は、隔壁１２４に取り囲まれた下側誘電体層１２３上で隔壁１２４の側面にわたって形成される。ここで、放電セル１６０は、１ピクセルを構成するサブピクセルを意味する。各放電セル１６０は、蛍光体層１２５の種類によって、赤色発光サブピクセル、緑色発光サブピクセル、及び青色発光サブピクセルに区別される。蛍光体層１２５は、プラズマから放射される真空紫外線を受けて、これを可視光線に変換する蛍光体、例えば、赤色発光サブピクセルにはＹ（Ｖ，Ｐ）Ｏ４：Ｅｕ、緑色発光サブピクセルにはＺｎ２ＳｉＯ４：Ｍｎ、青色発光サブピクセルにはＢＡＭ：Ｅｕが塗布されて形成される図に示されていないが、放電セル１６０内には、例えば、Ｎｅ、Ｘｅ、及びこれらの混合気体などの放電ガスが充填される。
【００４０】
図４には、図２のＶＩ−ＶＩ線による断面図が示されている。ここでは、説明の便宜上、Ａ−Ａ線を基準として、下側パネル１２０を９０°回転して示した。図面を参照すれば、前記のような構成を有する本発明のＰＤＰにおいては、アドレス電極１２２と走査電極１４０との間にアドレス電圧が印加されることによって、アドレス放電が起こり、このアドレス放電の結果で維持放電の起こる放電セル１６０が選択される。
【００４１】
その後、選択された放電セル１６０の共通電極１３０と走査電極１４０との間に所定の交流電圧が印加されれば、共通電極１３０と走査電極１４０との間に維持放電が起こる。ここで、第１電極１３１，１４１の間で放電が開始され（Ｐ１）、電極の間を連結する連結電極１３４，１４４に沿って隣接した第２電極１３２，１４２及び第３電極１３３，１４３に放電の経路が広がる（Ｐ２、Ｐ３）。
【００４２】
このような維持放電Ｐ１，Ｐ２，Ｐ３によって励起された放電ガスのエネルギー準位が低くなりつつ紫外線が放出される。そして、この紫外線が放電セル１６０内に塗布された蛍光体層１２５を励起させるが、この励起された蛍光体層１２５のエネルギー準位が低くなりつつ可視光が放出され、放出された可視光が画像を構成する。
【００４３】
図５には、本発明の第２実施形態によるＰＤＰの電極構造が示されている。図に示しめすように、本実施形態でも、放電電極対２５０は、共通電極２３０及び走査電極２４０を備え、共通電極２３０及び走査電極２４０はそれぞれ、放電セル２６０の内側から順次に配置された第１電極２３１，２４１、第２電極２３２，２４２、及び第３電極２３３，２４３を備える。ここで、第１電極２３１，２４１及び第３電極２３３，２４３は、一方向（ｘ方向）にストライプ状に形成され、第２電極２３２，２４２には延長方向（ｘ方向）に沿って所定間隔ｄで凹部２３２ａ，２４２ａが備えられる。また、それぞれの電極を相互に連結する連結電極２３４，２４４が形成されるが、第１実施形態と違って、凹部２３２ａ，２４２ａの湾曲部を通過する連結電極２３４，２４４以外にも、これらの左右両側に直線部２３２ｂ，２４２ｂを通過する連結電極２３４’，２４４’がさらに形成される。
【００４４】
これをさらに詳細に説明すれば、第２電極２３２，２４２と第３電極２３３，２４３との距離は、連結電極の第２部分２３４ｂ，２４４ｂに沿って最短距離Ｌ２となり、左右両側に行くほどその距離は長くなるので、直線部２３２ｂ，２４２ｂでは、電極間の距離が遠くなって、安定的な放電拡散が難しい。したがって、本実施形態では、直線部２３２ｂ，２４２ｂを通過する連結電極２３４’，２４４’をさらに形成することによって、このような連結電極２３４’，２４４’に沿って放電が円滑に広がるように誘導する。
【００４５】
一方、第１部分２３４ａ，２４４ａ及び第２部分２３４ｂ，２４４ｂを含む連結電極２３４，２４４、隔壁２２４及びアドレス電極２２２に関する事項は、第１実施形態で説明された事項と同様である。
【００４６】
図６には、本発明の第３実施形態が示されている。本実施形態のＰＤＰは、図２及び図３に示したＰＤＰ及び後述する事項以外には、同じ作用及び効果を有する構成要素を備えているので省略する。以下に、第１実施形態と相異点を中心に説明する。
【００４７】
本実施形態においては、第１実施形態と異なって、第１電極３３１，３４１の延長方向（ｘ方向）に沿って所定間隔ｄで複数の凹部の一つである、第１凹部３３１ａ，３４１ａが形成されている。第１凹部３３１ａ，３４１ａは、各放電セル３６０の中心を取り囲む所定曲率半径Ｒ１の半円状に形成される。第１凹部３３１ａ，３４１ａは、放電によって生成されたプラズマを放電セル３６０の中央に集中させる。すなわち、第１凹部３３１ａ，３４１ａに沿って半円状に形成される電界面がプラズマを放電セル３６０の中央部に集中させることによって、プラズマの生成を促進し、隔壁３２４の衝突によるプラズマの消滅を防止する。
【００４８】
特に、図に示したように、第１電極３３１，３４１と共に、第２電極３３２，３４２にも第２凹部３３２ａ，３４２ａが形成されれば、第１凹部３３１ａ，３４１ａによって形成された電場と第２凹部３３２ａ，３４２ａによって形成された電場とが重畳されてさらに効果的なプラズマの中央集中が可能である。したがって、第２凹部３３２ａ，３４２ａは、第１凹部３３１ａ，３４１ａと実質上同じ形状に形成されることが望ましく、例えば、図に示したように、第１凹部３３１ａ，３４１ａ及び第２凹部３３２ａ，３４２ａが半円状に形成される場合、同じ曲率半径（図６において、Ｒ１＝Ｒ２）を有するように形成されることが望ましい。
【００４９】
また、第１電極３３１，３４１に沿って第１凹部３３１ａ，３４１ａが形成されることによって、第１電極３３１，３４１と第２電極３３２，３４２との距離は、その延長方向に沿って実質上一定に維持されるので、第１電極３３１，３４１と第２電極３３２，３４２との間の放電拡散が促進される。一方、第２凹部３３２ａ，３４２ａによって第３電極３３３，３４３への放電拡散が安定的になされることは、第１実施形態で説明された通りである。
【００５０】
それ以外に、共通電極３３０及び走査電極３４０を含む放電電極３５０、第１部分３３４ａ，３４４ａ及び第２部分３３４ｂ，３４４ｂを含む連結電極３３４，３４４、アドレス電極３２２、及び隔壁３２４に関する事項は、第１実施形態で説明された事項と実質上同一であり、これを参考すれば良い。
【００５１】
本発明は、図に示した実施形態を参考として説明したが、これは、例示的なものに過ぎず、当業者ならば、多様な変形及び均等な他の実施形態が可能であり、本発明の真の保護範囲は、特許請求の範囲によって決定されねばならない。
【産業上の利用可能性】
【００５２】
本発明は、ＰＤＰに関連した技術分野に適用可能である。
【図面の簡単な説明】
【００５３】
【図１】従来のＰＤＰを示す分解斜視図である。
【図２】本発明の第１実施形態によるＰＤＰを示す分解斜視図である。
【図３】図２に示したＰＤＰの電極構造を示す平面図である。
【図４】図２に示したＩＶ−ＩＶ線による断面図である。
【図５】本発明の第２実施形態によるＰＤＰを概略的に示す平面図である。
【図６】本発明の第３実施形態によるＰＤＰを概略的に示す平面図である。
【符号の説明】
【００５４】
１１０    上側パネル、
１１１    上側基板（第１基板）、
１１４    上側誘電体層、
１１５    保護層、
１２０    下側パネル、
１２１    下側基板（第２基板）、
１２２    アドレス電極、
１２３    下側誘電体層、
１２４    隔壁、
１２５    蛍光体層、
１３０    共通電極、
１３１、１４１    第１電極、
１３２、１４２    第２電極、
１３２ａ、１４２ａ    凹部、
１３３、１４３    第３電極、
１４０    走査電極、
１５０    放電電極対、
１６０    放電セル。
【図１】
2006049321.tif 000003
【図２】
2006049321.tif 000004
【図３】
2006049321.tif 000005
【図４】
2006049321.tif 000006
【図５】
2006049321.tif 000007
【図６】
2006049321.tif 000008